(57)【要約】【課題】経理上必要な所定の項目を画像データとしてレシートに印刷することにより、レシート受領者が前記項目を短時間かつ正確に既存の財務管理プログラムや家計簿プログラムへ入力できる。【解決手段】本発明のレシート発行装置は、発行日、発行者の氏名又は名称、商品の購入金額及び国番号、発行者固有番号、発行番号、内訳、受領者の氏名又は名称、課税区分、消費税率、消費税額、勘定科目の少なくとも１つを含む情報をコード化し、画像データとしてレシートに印刷し、該画像データにさらに、該情報が変換された数字を加算した数字の画像データが含まれる。【選択図】  図４
2009205616.tif 000002
【特許請求の範囲】
【請求項１】
レシートの発行日及び商品の購入金額を含む情報を画像データに変換する画像データ変換手段と、
前記画像データを前記レシートに印刷する印刷手段と
を備えることを特徴とするレシート発行装置。
【請求項２】
前記情報としてさらに勘定科目が含まれることを特徴とする請求項１記載のレシート発行装置。
【請求項３】
前記情報としてさらに、国番号、発行者固有番号、発行番号、内訳、レシート受領者の氏名又は名称、レシート発行者の氏名又は名称、課税区分、消費税率、及び消費税額の少なくとも１つが含まれることを特徴とする請求項１又は２記載のレシート発行装置。
【請求項４】
前記画像データ変換手段は、前記情報をそれぞれ数字に変換し、各情報についての変換後の該数字を加算した結果の数字を併せて画像データに変換することを特徴とする請求項１乃至３いずれかに記載のレシート発行装置。
【請求項５】
レシートの発行日及び商品の購入金額を含む情報が画像データとして印刷されていることを特徴とするレシート。
【請求項６】
コンピュータを、
レシートの発行日及び商品の購入金額を含む情報を画像データに変換する画像データ変換手段と、前記画像データを前記レシートに印刷する印刷手段とを備えるレシート発行装置
として機能させるためのプログラム。
【発明の詳細な説明】
【技術分野】
【０００１】
本発明は、経理上必要な所定のデータをコード化し、画像データとして印刷するレシート発行装置、レシート及びプログラムに関する。
【背景技術】
【０００２】
従来から文字情報をコード化し、画像データとしてレシートに印刷するレシート発行装置であるＰＯＳレジスタや該ＰＯＳレジスタによって印刷されたレシートは公知である。（特許文献１参照）
【特許文献１】特開２００６−３１８１６３号公報（段落［００１０］、［００２３］及び図２）
【発明の開示】
【発明が解決しようとする課題】
【０００３】
しかしながら、これら従来のレシートには商品の購入金額に応じたポイント数や購入者の電子メールアドレスなど販売者の商品の販促にかかる情報に限られ、購入者が経理処理のために必要とする情報、例えばレシートに記載されている購入金額などに関する情報は含まれてなく、レシートに文字情報として印刷されているだけである。
したがって、購入者は、経理処理において、レシートに記載された発行日、発行者、商品名、購入金額などを人手で伝票に転記したりコンピュータに入力している。この作業は面倒であり時間要するのみならず、転記ミスや入力ミスによる誤った経理処理を生じさせる原因となっている。
【０００４】
本発明は、かかる従来技術の有する課題に鑑み、経理上必要な所定の項目を画像データとしてレシートに印刷することにより、レシート受領者が経理上必要な所定の項目を短時間かつ正確に既存の財務管理プログラムや家計簿プログラムへ入力できるようにすることを目的とする。
【課題を解決するための手段】
【０００５】
本発明にかかるレシート発行装置は、レシートの発行日及び商品の購入金額を含む情報を画像データに変換する画像データ変換手段と、前記画像データを前記レシートに印刷する印刷手段とを備えることを特徴とする。本発明における「商品」の語句は、店舗で販売される商品のほか、提供を受ける役務をも含む広い概念である。
【０００６】
本発明における「レシート」の語句は、スーパーやコンビニエンスストアで商品を購入し、料金を支払ったときにキャシュレジスタで発行されるレシートのほか、いわゆる領収書や領収証も含む。
本発明における「レシート発行装置」の語句は、キャシュレジスタあるいは電子式金銭登録機のほか、病院での清算機、無人駐車場での清算機、鉄道の券売機あるいは領収証発行ソフトをインストールすることにより動作するレシート発行装置を含む。
【０００７】
前記画像データとしては、例えばバーコードや２次元コードにて表示される画像データがあるが、より多くの情報をより小さなスペースに記録できる２次元コードが好ましい。２次元コードとしては、ＱＲコード（株式会社デンソーウェーブの登録商標）を使用することができるが、これに限るものではなく、ベリコード（米国ベリテックス社）、データマトリックス（米国ID Matrix社）、マキシコード（米国ＵＰＳ社）、ＰＤＦ４１７（米国シンボル社）等いずれも使用できる。
【０００８】
前記情報として勘定科目が含まれることが好ましい。勘定科目が含まれることにより、購入者は、経理処理において、勘定科目の仕訳に迷うことなく、自動的に勘定科目を含めてコンピュータに読み込み、入力することが可能となる。なお、勘定科目とは、一般的に簿記で使用され、複式簿記の仕訳などに用いる表示金額の名目を表わす科目である。
【０００９】
前記情報としてさらに、国番号、発行者固有番号、発行番号、内訳、レシート受領者の氏名又は名称、レシート発行者の氏名又は名称、課税区分、消費税率、及び消費税額の少なくとも１つが含まれることが好ましい。このことにより、より多くの経理上必要な情報をコンピュータに取り込むことができる。ここで、「国番号」としては、例えば国際ＥＡＮ協会により付与される国を表わす頭の２〜３桁（日本の場合「４５」又は「４９」）、あるいは財団法人流通システム開発センターの国コード（プリフィックス番号）を使用することができる。「発行者固有番号」としては、例えば税務署で使用する会社に固有の番号を使用することができる。「課税区分」には、例えば「税込」「税抜」「非課税」の別を記入する。
【００１０】
前記画像データ変換手段は、前記情報をそれぞれ数字に変換し、各情報についての変換後の該数字を加算した結果の数字を併せて画像データに変換することが好ましい。このことにより、後で説明するように読み取り機（コードリーダー）の故障や読み間違いなどを発見することができる。
前記数字としては、例えばアスキーコード（ASCII：American Standard Code for Information Interchange）や日本工業規格
(JIS) の制定している文字コード規格JIS X 0201により画像データから変換される数字を使用できる。
【００１１】
本発明は、レシートの発行日及び商品の購入金額を含む情報が画像データとして印刷されていることを特徴とするレシートを提供する。
【００１２】
さらに、本発明は、コンピュータを、レシートの発行日及び商品の購入金額を含む情報を画像データに変換する画像データ変換手段と、前記画像データを前記レシートに印刷する印刷手段とを備えるレシート発行装置として機能させるためのプログラムを提供する。
【発明の効果】
【００１３】
本発明にかかるレシート発行装置によれば、経理上必要な所定の情報をコード化し、画像データとしてレシートに印刷することができるので、該レシート発行装置によって発行された前記情報を記録した画像データが印刷されたレシートの受領者は、該情報を短時間かつ正確に既存の財務管理データや家計簿データとして入力することができる。
【発明を実施するための最良の形態】
【００１４】
以下、添付図面を参照しつつ、本発明の一実施形態にかかるレシート発行装置について説明するが、本発明は、これに限定されて解釈されるものではなく、本発明の範囲を逸脱しない限りにおいて、当業者の知識に基づいて、種々の変更、修正、改良を加え得るものである。
【００１５】
図１は、本発明の一実施例であるレシート発行装置１の概略的構成を示すブロック図である。本実施形態にかかるレシート発行装置１は、店舗において使用されるレシート発行機能を備えたキャシュレジスタである。レシート発行装置１は、ＣＰＵ（中央演算処理装置）３、外部ＩＦ（外部インターフェイス）４、ＲＯＭ（リードオンリーメモリ）５、ＲＡＭ（ランダムアクセスメモリ）６、キー入力部７、表示部８、印刷部９、及び時計回路１０から構成される。
【００１６】
ＣＰＵ３は、ＲＯＭ５に格納されているプログラムを読出して実行して装置全体の制御を行い、商品の売上情報の登録処理などを行う。ＲＡＭ６には、前記プログラム実行時の作業領域や、売上情報の登録領域、日計売上データなどの売上状況を記憶する領域などが設定される。表示部８は、液晶表示部などで実現され、キー入力部７から入力した商品購入者の社名や金額、商品名あるいは内訳などを表示する。印刷部９は、ドットプリンタなどで実現され、購入者に渡すレシートの印刷を行う。時計回路１０は、年月日、曜日、時刻などの日付データをＣＰＵ４に出力する。この日付データは、商品の売上情報の登録時に記憶され、年月日はレシートに印刷される。外部ＩＦ４には、バーコードリーダー（図示せず）が接続され、商品の包装に印刷されたバーコードを読み取ることによって、予めバーコードに記憶されている商品に関する情報がＣＰＵ３に入力される。
【００１７】
図２は、レシートに印刷される画像データ項目を示し、図３は、本発明の一実施例であるレシート発行装置１により印刷されるレシート１１を示す。レシート１１には、通常のレシートに記載される文字情報が印刷されるほか、図３に示すデータの２次元コード画像１２が印刷される。本実施例では、画像データとして２次元コードを使用する場合を示す。
【００１８】
図４は、本発明の一実施例であるレシート発行装置として機能させるためのプログラムのフローを示す。
ステップＳ１でレシートに印刷する情報のデータを取得し、ステップＳ２で印刷データ容量が２次元コードの印刷許容量内か否かを判断する。許容量を超えていたら、ステップＳ３で「異常」を表示して終了する。許容量内であれば、ステップＳ４に進み、レシートに印刷された２次元コード読み取り時に受信したデータに間違いがあるか否かを判断するために、予め図３で示す先頭データ（国番号）から終了データ（予備）までのデータのアスキーコードを足した数字を作成し、図形変換用データに付加する。
【００１９】
次いで、ステップＳ５に進み、レシートの発行日及び商品の購入金額を含む情報を画像データに変換する。ステップＳ６でレシートの印刷をするか否かの選択を求められ、「印刷しない」を選択すると、終了する。
「印刷する」を選択するとステップＳ７に進み、レシートに文字情報とともに画像データの印刷を実行する。
【産業上の利用可能性】
【００２０】
本発明にかかるレシート発行装置、レシート及びプログラムは、店舗で使用するキャッシュレジスタとして利用する。
【図面の簡単な説明】
【００２１】
【図１】本発明の一実施例であるレシート発行装置１の概略的構成を示すブロック図である。
【図２】本発明の一実施例であるレシート発行装置１において、レシートに印刷される画像データ項目を示す一覧表である。
【図３】本発明の一実施例であるレシート発行装置１により印刷されたレシート１１を示す図である。
【図４】本発明の一実施例であるレシート発行装置として機能させるためのプログラムの流れを示すフロー図である。
【符号の説明】
【００２２】
１    レシート発行装置
３    ＣＰＵ（中央演算処理装置）
７    キー入力部
９    印刷部
１１    レシート
１２    ２次元コード画像
【図１】
2009205616.tif 000003
【図２】
2009205616.tif 000004
【図３】
2009205616.tif 000005
【図４】
2009205616.tif 000006